【事件の表示】
　平成　６年特許願第５１２４５７号「モジュラーマイクロプロセッサベース健康監視システム」拒絶査定不服審判事件〔平成　６年　５月２６日国際公開、ＷＯ９４／１１８３１、平成　８年　７月　２日国内公表、特表平　８−５０６１９２〕について、次のとおり審決する。
【結　論】
　本件審判の請求は、成り立たない。
【理　由】
１．手続きの経緯
　本願は、平成５年１１月１６日の出願（優先権主張　平成４年１１月１７日）であって、平成１３年１０月９日付の拒絶理由通知に対して平成１４年１月１０日付で補正書が提出されたが、同年１０月１１日付で拒絶査定がなされ、これに対し、 平成１５年１月２０日に拒絶査定に対する審判請求がなされたものである。
　　
２．本願発明
　本願の請求項１に係る発明（以下、本願発明）は、平成１５年２月１０日付けによって補正された明細書及び図面の記載からみて、その特許請求の範囲の請求項１に記載された次のとおりのものと認められる。
　　
「表示スクリーンおよび複数のスイッチを備え、その動作を制御するためのプログラム命令が記憶されているメモリ回路を含むプログラムカートリッジを受ける受け部を有するプログラム可能なマイクロプロセッサベースの装置と、
　人間の肉体的良好さの状態を感知し、前記状態を表すデジタル的に符号化された信号を生成するように動作する監視手段と、
　前記プログラム可能なマイクロプロセッサベースの装置および前記監視手段の両者と信号通信するように接続可能であり、中央処理装置およびメモリ回路を含むマイクロプロセッサベースのデータ管理装置と、
　前記監視手段、前記プログラム可能なマイクロプロセッサベースの装置および前記マイクロプロセッサベースのデータ管理装置から遠隔位置に配置され、遠隔情報検索および再送信のために前記デジタル的に符号化された信号を蓄積することができ、送信された状態信号を受信するためモデムを介してデジタルネットワークによりマイクロプロセッサベースのデータ管理装置に接続された情報交換装置とを具備し、
　前記データ管理装置のメモリ回路は前記中央処理装置の動作を制御するプログラム命令を記憶し、前記中央処理装置はメモリ回路に記憶されたプログラム命令に応答して、前記監視手段によって供給された前記感知された状態を表すデジタル的に符号化された信号を処理し、前記プログラム可能なマイクロプロセッサベースの装置の１以上の前記スイッチの動作を選択した時に前記プログラム可能なマイクロプロセッサベースの装置によってデータ管理装置に供給されたデジタル的に符号化された信号に応答して前記プログラム可能なマイクロプロセッサベースの装置に前記感知された状態を表す信号を供給し、
　前記情報交換装置は、前記マイクロプロセッサベースのデータ管理装置から前記モデムを介して供給された前記デジタル的に符号化された信号を前記監視手段によって感知された前記状態に関する情報を提供する報告書に変換するデジタル信号処理手段を備え、前記情報交換装置の前記信号処理手段が前記遠方に位置するヘルスケア専門家に前記報告書を表すファクシミリ信号を送信するセルフケア健康監視システム。」
　　
３．引用例記載の発明
 （１）原査定の拒絶理由に引用された特開昭６３−７９６４３号公報（以下、引用例１）には、「人体健康モニタ」に関して、次の事項が図面と共に記載されている。
　　
　（ａ）「〔産業上の利用分野〕本発明は患者の身体状態を表わす情報を自動的にログに収集した後当該ログを中央ステーションに伝送し、熟練医療要員によって分析するタイプの人体健康モニタの改良に関する。」（公報第４頁上段左欄第２行〜同第６行）
  （ｂ）「〔実施例〕以下の詳細な説明は、まづ本発明の人体健康モニタの今回望ましいとされている実施例のハードウェアを、次いでソフトウェアをとりあげることにする。
　全体として本モニタは、（１）患者にテストを行い、患者の看護に責任を負う医者により処方された質問に解答するように促し、（２）患者に処方薬を服用させ、患者の応諾を記録するように促し、（３）テスト結果、質問に対する患者の解答、および医療法に対する応諾の情報を、訓練された医療要員が勤務する中央装置に伝達するように設計される。システムは、家庭環境において監督されないやり方で、患者が使用するための家庭内装置と中央装置との２つの副装置から構成される。（略）一般的にいって、家庭内装置は、患者の各種健康パラメータを表すデータを介護医が処方した表に記録する働きを行う。これら健康パラメータは選ばれた質問に対する患者の応答と共に、ＥＣＧ、体温、体重、血圧、脈拍、血糖量、肺機能の如き各種生体兆候を含む。家庭内装置は、患者が進んで申し出た情報と患者が進んで行ったテストの結果も記録することになろう。上記装置は、同様に何時薬を服用すべきかを患者に想起させ服用の時刻、服用量、種類に関する情報を含む患者の遵守状況を記録する働きも行う。上記装置は、患者が記録された情報を容易に使用でき、あらかじめプログラムした報告時間と事象発生に応じて作成された特別報告に基づいて記録された情報とを、中央装置と自動的に交信しあう。交信はモデムを介して行い、伝送中のエラーについては、リトライしエラーに対する再ダイヤルを可能にした適当なプログラムが備えられ、患者の干渉が不要なようにしてある。温度プローブ、ＥＣＧ電極プローブ、重量目盛、血圧素子、ＥＣＧ信号処理回路の如き、家庭内装置に含まれた各種センサは、モジュール設計とし、老朽を最小限にし新しいもしくは改良された部品を簡単に追加することができるようになっていることが望ましい。（略）中央装置は、記録された患者パラメータの報告書をつくりだし、訓練医療要員によって分析され応答する。中央装置用のソフトウェアは、システムがコンピュータ以外の専門家に使用しやすいように書くことが望ましい。」（公報第６頁上段右欄第７行〜第７頁上段左欄第８行）
　（ｃ）「システムハードウェア（略）第２図は家庭内装置６０の一つのブロック線図を示す。第２図に示す如く、各家庭内装置６０は、電源６６により電力を供給される主ＣＰＵ６４を備えている。主ＣＰＵ６４は、ディスプレイ装置６８、トーンジェネレータ７０、ボイスシンセサイザ７２、キーパッド７４を介して患者と交信する。家庭内装置６０に、もっと詳しく質問したりプログラミングするために、健康介護専門家が使用する着脱自在かつ携行可能なキーボード７６を設けることが望ましい。もちろん、タッチスクリーン、マイクロホン等の如きその他の入出力装置を備えることができることはいうまでもない。主ＣＰＵ６４は、ハードウェアバス７８を介してモデム６２とデジタル情報を記録する大容量記憶装置８０と接続される。ハードウェアバス７８もまた主ＣＰＵ６４を信号インターフェース装置８２と相互接続し、該装置８２自体はスケールモジュール８４、温度モジュール８６、心電図モジュール（ＥＣＧ）モジュール８８に接続される。ＥＣＧモジュール８８は今度は患者の胸部に装着するためのＥＣＧ電極モジュールに接続される。血圧モジュール９２は例えば肺機能や血糖値を測定するためのモジュールの如きその他のオプションモジュール９４と共にバス７８を介して主ＣＰＵ６４に接続される。ＣＰＵ６４により制御されるリレー９１が信号インターフェース装置８２とＥＣＧモジュール８８との間に介在しＣＰＵ６４が確実にＥＣＧ電極装置９０が電源から隔離される効果を保証することができるようにしている。第２ｂ図に示す如く、インターフエース装置８２は８線差動アナログマルチブレクサ９６でスケールモジュールからアナログ信号を受信するために接続された入力を備えたものと、温度モジュール８６と、ＥＣＧモジュール８８と、電源内に格納されるバッテリとを備えている。マルチブレクサ９６に対するその他の入力は追加ＥＣＧ信号や周囲温度の如きその他のセンサ装置に使用することができる。８線差動アナログマルチブレクサ９６は主ＣＰＵ６４により制御され、プログラマブルな利得計装増幅器９８に通される８個の入力信号の一つを選択する。適当な増幅後、選択されたアナログ信号は入力としてサンプルホールド回路１００に印加され、該回路１００は、選択された増幅信号のアナログ値をサンプリングしこのサンプリングされた値を保持しアナログデジタル変換器１０２によって変換する。その結果侍られるデジタル信号はその後ハードウェアバス７８を介して主ＣＰＵ６４ により読み取られる。（略）本実施例の家庭内装置６０のばあい、主ＣＰＵ６４はファラデー、モストロン、ＩＢＩＳ、０ＥＭテクノロジー、もしくはＧ＆Ｌ社の如きＩＢＭ　ＰＣ互換可能ＣＰＵボードである。モデム６２はデータを自動ダイヤル能力と選択可能な３００ /１２００ボー・データ速度を有する音声を共に伝送するような形式でモデムが直接正規電話線内にプラグインできるようなものであることが望ましい。（略）大量記憶装置８０は少なくとも５００Ｋバイトのフォーマットを有する記憶空間を有する３．５インチミニフロッピーディスクドライブであることが望ましい。（略）血液モジュール９２は武田薬品とノレルコ社から市販されている装置の如くデジタル入出力能力を有する自動血圧モニタである。（略）第３図は中央装置２０のブロック線図を示す。中央装置２０は遮断不可能な電源２６による正規ＡＣ電力バックアップを備えたスーパーマイクロコンピュータ２４を備えている。中央装置２０はプリンタ２８を制御し、訓練された医療要員を含む一連のオペレータが各端末３０を介してコンピュータ２４と対話する。単に一例としてだが、コンピュータ２４はＩＢＭのＲＡＭと一つの高密度フロッピーディスクドライブと、２０−８０ＭＢ大量記憶ディスクドライブを備えた１６／３２ビットマイクロコンピュータでよい。（略）プリンタ２８はエプソン・パナソニックス・オキダタもしくはファシット社より得ることができるような図形能力を有するドットマトリックスプリンタでよい。（略）マイクロコンピュータ２４は家庭内装置６０からの交信を受信し適当な報告書を作成し適当な指令もしくはデータファイルを各家庭内装置に送るための適当なプログラムを備えたＵＮＩＸシステムの如きマルチユーザ、マルチ−タスクオペレーティングシステムによりプログラムすることが望ましい。」（公報第７頁上段左欄第９行〜第９頁上段右欄第１８行）
　（ｄ）「家庭内装置のソフトウェア　先に手短に説明した如く、家庭内装置６０は全て所定のテストならびに薬物治療の計画に従って処方されたテストと薬物治療を行うように患者を促すためにプログラムされる。患者が薬物治療計画に従っていることを表わすテストと情報から得られた測定値は合成ログに記憶され自動的に中央装置２０に送られ訓練された要員により分析される。以下に詳しく指摘した通り、家庭内装置６０のソフトウェアは電源６６を制御して患者と家庭内装置６０との間の対話期間中に家庭内装置６０を交流電源より隔離する。更に、ソフトウェアはテスト結果を表わすパラメータと予め選択した質問に対する患者の解答を分析し、あるばあいには合成ログを追加的テストの結果や追加質問に対する解答により補充して中央装置２０が発生した報告書を評価する要員が合成ログを解釈するのを容易にする。更に、このソフトウェアはテスト結果を所定の予期された正常な範囲と比較して問題があるときにステーションに警報する。不要な警報の数を減らすために、ソフトウェアは少なくとも一つの追加的パラメータの値に従って第１のパラメータのばあいに受け容れることのできる正常値範囲を変更する巧妙な多数パラメータ法を使用している。第４図は家庭内装置６０が供給された後に家庭内装置６０のプログラムの最初の処理が行われるばあいの全体的な流れを示したものである。最初の電力供給手段中、システム全体は第５図の如く初期化される。患者データとテストならびに薬物治療の一覧表は大量記憶装置８０から読出され主ＣＰＵ６４のランダムアクセスメモリ中に記憶される。患者データは患者を識別し、氏名、年齢、性別、住所、社会保険番号、電話番号等の如き情報を与える医者が選択した情報を含むのが普通であろう。テストと治療の一覧表は行なわれるテストの同一性と計画を服用さるべき薬の同一性と計画を明らかにする医者が処方した一覧表である。更に、テストと薬物治療の一覧表はどのテストと薬物治療が重要と考えられるべきかに関する医者の指示を、選択された時点で患者に求められるテストと質問において測定される各パラメータ毎の期待値と共含む。（略）第５図に示す如く、患者データとテストならびに薬物治療の一覧表の一覧表がＲＡＭ内にロードされた後、データと一覧表ファイルの安全がチェックされる。（略）第６図の復帰ルーチンはそれが続くパワーアップサイクル中に実行される点を除けば第５図の初期化ルーチンと同じである。データフラグと状態表の変数を初期化する代わりに復帰ルーチンは先に記憶されたデータフラグとシステム状態表をデイスクからＲＡＭ内へロードする。」（公報第９頁下段左欄第４行〜第１０頁上段右欄第１２行）
　　
　ここで、引用例１では、主ＣＰＵや各種センサを含めた家庭内にある装置全体を家庭内装置と称しているが、当該家庭内装置は、患者のデータ等を収集し、その状況をデジタル的に表す「各種センサおよびインターフェース装置」と、得られたデータを処理・管理する主ＣＰＵおよびＲＡＭを含む「データを処理・管理する手段」とから構成されているものと認められる。
　したがって、引用例１には、「人間の肉体的良好さの状態を感知し、前記状態を表すデジタル的に符号化された信号を生成するように動作する各種センサおよびインターフェース装置と、
　前記各種センサおよびインターフェース装置と信号通信するように接続可能であり、主ＣＰＵおよびＲＡＭを含むデータを処理・管理する手段と、
　前記家庭内装置の各種センサおよびインターフェース装置、および、データを処理・管理する手段から遠隔位置に配置され、遠隔情報検索および再送信のために前記デジタル的に符号化された信号を蓄積することができ、送信された状態信号を受信するためモデムを介してデジタルネットワークにより家庭内装置のデータを処理・管理する手段に接続された中央装置とを具備し、
　前記家庭内装置のデータを処理・管理する手段のＲＡＭは、前記主ＣＰＵの動作を制御するプログラム命令を記憶し、前記主ＣＰＵはＲＡＭに記憶されたプログラム命令に応答して、前記各種センサおよびインターフェース装置によって供給された前記感知された状態を表すデジタル的に符号化された信号を処理し、
　前記中央装置は、前記家庭内装置のデータを処理・管理する手段から前記モデムを介して供給された前記デジタル的に符号化された信号を前記各種センサによって感知された前記状態に関する情報を提供する報告書に変換するコンピュータを備え、前記中央装置の前記コンピュータが訓練医療要員に前記報告書を表す信号を送信する人体健康監視システム」に関する発明が記載されている。
　更に、引用例１記載の発明には、上述（ｃ）のように、「家庭内装置に、健康介護専門家が使用するキーボード以外に、その他の入出力装置を備えることが出来ること。」も記載されている。
　　　
 （２）同じく引用された特開平４−４９９８９号公報（以下、引用例２という。）には、「テレビゲーム装置」に関して、次の事項が図面と共に記載されている。
　　　
　（ａ）「〔産業上の利用分野〕本発明はゲームカートリッジを交換して種々のゲームを行うことができるテレビゲーム装置に関する。」（公報第１頁右欄第１８行〜公報第２頁上段左欄第３行）
　（ｂ）「本発明の目的は、大型のコネクタを用いることなく、テレビゲームの他にテレビ放送も受信することができるテレビゲーム装置を提供することにある。〔課題を解決するための手段〕上記目的は、ゲームを操作する操作ボタンと、ゲームを制御するゲーム制御部と、ゲーム内容を表示する表示部と、ゲーム内容が記載されたゲームカートリッジ又はテレビ放送を受信するチューナーカートリッジが装着されるコネクタとを備え、前記コネクタの少なくともひとつの端子をカートリッジ切換信号用端子とし、前記コネクタの他の端子を、前記カートリッジ切換信号用端子に入力される切換信号に応じて、ゲーム信号用端子又はチューナー信号用端子に切換えることを特徴とするテレビゲーム装置によって達成される。〔作用〕本発明によれば、切換信号により装着されたカートリッジを識別してコネクタの端子を切換えるようにしているので、チューナーカートリッジによりテレビ放送を受信するようにしても、ゲームカートリッジに必要な端子数のコネクタを用いるだけでよく、大型のコネクタを用いる必要がない。」（公報第２頁上段右欄第１７行〜同頁下段右欄第２行）
（ｃ）「本発明の一実施例によるテレビゲーム装置の外観を第１図乃至第５図を用いて説明する。（略）テレビゲーム装置１０の上端左側には、電源をオンオフするための電源スイッチ２４と、DCアダプターを挿入するための電源ジャック２６が設けられている。テレビゲーム装置１０の上端右側には、外部とデータを通信するための通信用コネクタ２８と、ゲーム音を聞くためのヘッドホンを接続するヘッドホンジャック３０と、ゲーム音を調節するサウンドボリューム３２が設けられている。テレビゲーム装置１０の裏側には左右に電源用の電池（図示せず）を収納するための電源ボックス３４が設けられている。テレビゲーム装置１０の裏側中央にはゲームカートリッジ１００が装着されている。（略）チューナーカートリッジ２００をテレビゲーム装置１０に装着した状態を第５図に示す。同図(a) は正面図であり、同図（ｂ）は側面図である。（略）テレビゲーム装置１０には、第６図に示すように、装置全体を制御するためのCPU４０と、CPU４０が必要に応じて種々のデータを書込むためのスクラッチRAM４２とが設けられている。また、テレビゲームのビデオ信号を生成するためのVDP（ビデオディスプレイプロセッサ）４４と、ビデオ信号を生成するために必要なデータが記憶されたビデオRAM４６とが設けられている。さらに、本実施例のテレビゲーム装置１０のためにスタンダードセルアレイを用いて作られた専用の制御回路４８が設けられている。（略）テレビゲームをコントロールするためのポーズボタン１４、１ボタン１６、２ボタン１８、十字コントロールボタン２０が、制御回路４８に接続されている。この制御回路４８には、外部とデータを通信するための通信用コネクタ２８も接続されている。（略）ゲームカートリッジ１００には、第７図に示すように、ゲーム内容が記載されたゲートアレイ１０４及びROM１０６と、ゲームの必要に応じて種々のデータを書込むためのRAM１０８と、ROM１０６に記憶された音声データに基づいて音声信号を生成する音声回路１１０とが設けられている。（略）チューナーカートリッジ２００には、第８図に示すように、TV放送信号を受信して増幅するTV放送受信回路２１０と、受信されたTV放送信号を復調する復調回路２１２と、液晶表示パネル１２への表示信号を生成する表示信号生成回路２１４が設けられている。」（公報第２頁下段右欄第４行〜第４頁上段右欄第１５行）
　　
　ここで、上述（ｃ）には、「テレビゲーム装置に外部とデータを通信するため通信用コネクタを設ける。」ことも記載されており、これは、テレビゲーム装置を他の通信機器と併用して使用することも示唆するものである。
  したがって、引用例２には、「液晶表示パネル、操作用の複数のボタンおよびプログラムカートリッジの受け部等を有するテレビゲーム装置であって、当該テレビゲーム装置をカートリッジに格納されたプログラムに応じた処理としてゲーム以外の用途に応用すること、および、テレビゲーム装置を他の通信機器と併用して使用すること。」が記載されている。
　　　
４．対比
　そこで、本願発明と引用例１に記載された発明を対比すると、両者は「人体健康監視システム」に関する発明という概念で一致する。
　そして、引用例１記載の発明の家庭内装置の内、「各種センサおよびインターフェース装置」は本願発明の「監視手段」に相当し、「データを処理・管理する手段」はその機能からして本願発明の「マイクロプロセッサベースのデータ管理装置」に相当する。
　また、引用例１記載の発明の「主ＣＰＵ」および「ＲＡＭ」は、本願発明の「中央処理装置」および「メモリ回路」にそれぞれ相当する。
　更に、引用例１記載の発明の「中央装置」および「（中央装置の）コンピュータ」は、本願発明の「情報交換装置」および「デジタル信号処理手段」にそれぞれ相当する。
　なお、引用例１記載の発明の「訓練医療要員」は本願発明の「ヘルスケア専門家」に相当する。
　　
　したがって、本願発明と引用例１記載の発明とは、
 「人間の肉体的良好さの状態を感知し、前記状態を表すデジタル的に符号化された信号、を生成するように動作する監視手段と、
　前記監視手段と信号通信するように接続可能であり、中央処理装置およびメモリ回路を含むマイクロプロセッサベースのデータ管理装置と、
　前記監視手段および前記マイクロプロセッサベースのデータ管理装置から遠隔位置に配置され、遠隔情報検索および再送信のために前記デジタル的に符号化された信号を蓄積することができ、送信された状態信号を受信するためモデムを介してデジタルネットワークによりマイクロプロセッサベースのデータ管理装置に接続された情報交換装置とを具備し、
　前記データ管理装置のメモリ回路は前記中央処理装置の動作を制御するプログラム命令を記憶し、前記中央処理装置はメモリ回路に記憶されたプログラム命令に応答して、前記監視手段によって供給された前記感知された状態を表すデジタル的に符号化された信号を処理し、
　前記情報交換装置は、前記マイクロプロセッサベースのデータ管理装置から前記モデムを介して供給された前記デジタル的に符号化された信号を前記監視手段によって感知された前記状態に関する情報を提供する報告書に変換するデジタル信号処理手段を備え、前記情報交換装置の前記信号処理手段がヘルスケア専門家に前記報告書を表す信号を送信する人体健康監視システム」の点で一致し、以下の点で相違する。
　　
　（相違点１）
　本願発明では、「表示スクリーンおよび複数のスイッチを備え、その動作を制御するためのプログラム命令が記憶されているメモリ回路を含むプログラムカートリッジを受ける受け部を有するプログラム可能なマイクロプロセッサベースの装置」をデータ管理装置に接続して使用し、「プログラム可能なマイクロプロセッサベースの装置の１以上のスイッチの動作を選択した時にプログラム可能なマイクロプロセッサベースの装置によってデータ管理装置に供給されたデジタル的に符号化された信号に応答してプログラム可能なマイクロプロセッサベースの装置に前記感知された状態を表す信号を供給する」ように構成して、マイクロプロセッサベースの装置の表示スクリーンに関連する情報を表示させているが、引用例１記載の発明は、家庭内装置に表示装置は設けているが、本願発明のようにデータ管理装置に接続して使用されるマイクロプロセッサベースの装置は用いていない点。
　　
　（相違点２）
　本願発明では、遠方にいるヘルスケア専門家に関連の情報を送るために、「情報交換装置の信号処理手段が遠方に位置するヘルスケア専門家に報告書を表すファクシミリ信号を送信する」構成を採用しているが、引用例１記載の発明は、中央装置のコンピュータは報告書をプリンタに出力するための信号を送信しているだけであり、遠方にいる訓練医療要員に情報を送信することについては考慮されてなく、このため、遠方に位置する訓練医療要員に対し報告書を表すファクシミリ信号を送信する点は記載されていない点。
　　
５．当審の判断
　上記相違点について検討する。
（相違点１）について
　引用例１記載の発明には、家庭内装置に、（健康介護専門家が使用するキーボード以外に、）その他の入出力装置を備えることが出来ることも記載されている。
　また、引用例２には、「液晶表示パネル、操作用の複数のボタンおよびプログラムカートリッジの受け部等を有するテレビゲーム装置であって、当該テレビゲーム装置をカートリッジに格納されたプログラムに応じた処理としてゲーム以外の用途に応用すること、および、テレビゲーム装置を他の通信機器と併用して使用すること」が、記載されている。
なお、引用例１のテレビゲーム装置は本願発明のマイクロプロセッサベースの装置に相当するものである。
　したがって、引用例１記載の発明においては、家庭内装置にその他の入出力装置を接続して使用すること、および、引用例２においては、テレビゲーム装置を他の通信機器と併用して使用すること、がそれぞれ記載されているので、引用例１に記載の発明の家庭内装置に引用例２に記載のテレビゲーム装置を接続し、テレビゲーム装置の複数のボタンの操作により、家庭内装置から表示信号を当該テレビゲーム装置に送信するように構成し、テレビゲーム装置の液晶表示パネルに関連する情報を表示するようにすることは、容易に考えられることと認められる。
　なお、テレビゲーム装置をゲーム以外の用途に用いる際、どの分野に用いるかは、当業者が適宜選定しうることと認められ、人体健康監視の分野に用いた点に格別な技術的な特徴は認められない。
　　　
（相違点２）について
 　一般に、患者監視システムにおいて、遠方にいる医者等に患者に関する情報を送信することは通常に行われていることであり、また、このため、遠方に配置されたファクシミリ装置を利用して関連情報を送ることは、周知の手段（例えば、特開平２−２１８４１号公報、特開平４−８４９３４号公報参照）であるので、引用例１記載の発明においても、この様な周知の手段を採用し、ファクシミリを活用して遠方にいる医者に対しても情報が提供できるように、中央装置のコンピュータから報告書を表すファクシミリ信号を送信するようにすることは、容易に考えられることと認められる。
　　
　また、本願請求項１に係る発明の効果についてみても、上記引用例１、２に記載された発明および周知技術から当然に予測される程度のものにすぎず、格別顕著なものではない。
　　　
 ６．むすび
   したがって、本願発明は、引用例１，２に記載された発明および周知技術に基づいて、当業者が容易に発明をすることができたものであるから、特許法第２９条第２項の規定により特許を受けることができない。
　　
　よって、結論のとおり審決する。